(57)【要約】【課題】フェンダープロテクタがフェンダーパネルから容易に外れることのない固定クリップの提供。【解決手段】フェンダーパネルにフェンダープロテクタを固定するＳ字状の固定クリップであって、フェンダーパネルの通孔付き端部を嵌め込むＵ字状の第１嵌合部１Ａと、フェンダープロテクタの通孔付き端部を嵌め込むＵ字状の第２嵌合部１Ｂとを備え、第１嵌合部は、フェンダーパネルの端部通孔に係止する係止爪４を対向する壁面のいずれか一方に形成し、第２嵌合部は、フェンダープロテクタの端部通孔に係止する係止爪１０・１１を対向する両壁面に互いに近接するように形成することにより、フェンダープロテクタを第２嵌合部に嵌合する場合には、フェンダープロテクタの端部通孔に上側の係止爪と下側の係止爪とが同時に係止するので、フェンダープロテクタがフェンダーパネルから外れる恐れがない。【選択図】　　　　　図２
2004142535.tif 000002
【特許請求の範囲】
【請求項１】
フェンダーパネルにフェンダープロテクタを固定する断面Ｓ字状の固定クリップであって、フェンダーパネルの通孔付き端部を嵌め込むＵ字状の第１嵌合部と、フェンダープロテクタの通孔付き端部を嵌め込むＵ字状の第２嵌合部とを備え、上記第１嵌合部は、フェンダーパネルの端部通孔に係止する係止爪を対向する壁面のいずれか一方に形成し、上記第２嵌合部は、フェンダープロテクタの端部通孔に係止する係止爪を対向する両壁面に互いに近接するように形成したことを特徴とする固定クリップ。
【請求項２】
第２嵌合部の対向する両壁面に形成される係止爪は、各々、上下方向でオーバーラップしていることを特徴とする請求項１記載の固定クリップ。
【請求項３】
第２嵌合部の対向する一方の壁面に形成される係止爪は、その壁面と一体に膨出形成され、他方の壁面に形成される係止爪は、スリットを介して分離された弾性壁部に形成されていることを特徴とする請求項１乃至請求項２のいずれかに記載の固定クリップ。
【請求項４】
スリットを介して分離された弾性壁部は、Ｕ字状の先端側からその奥側に向けて延びていることを特徴とする請求項３記載の固定クリップ。
【請求項５】
スリットを介して分離された弾性壁部に形成される係止爪は、フェンダープロテクタの端部通孔の中心に位置し、一方の壁面に膨出形成される係止爪は、上記中心に位置する係止爪の側方に対の関係をもって位置することを特徴とする請求項３乃至請求項４のいずれかに記載の固定クリップ。
【請求項６】
第１嵌合部の連結部位にその係止爪を内包する開口を穿設すると共に、第２嵌合部の連結部位に上記開口と反対側に位置する他の開口を穿設したことを特徴とする請求項３記載の固定クリップ。
【請求項７】
第１嵌合部に形成される係止爪の両側に薄肉部を形成したことを特徴とする請求項１記載の固定クリップ。
【発明の詳細な説明】
【０００１】
【発明の属する技術分野】
本発明は、自動車のフェンダープロテクタをフェンダーパネルに固定する固定クリップの改良に関するものである。
【０００２】
【従来の技術】
従来のこの種固定クリップは、具体的には図示しないが、合成樹脂の一体成形品で、全体が断面Ｓ字状を呈して、一方の開口から通孔を有するフェンダーパネルの端部を差し込むと、当該端部通孔に対応する係止爪が係止し、他方の開口から同じく通孔を有するフェンダープロテクタの端部を差し込むと、当該端部通孔に対応する係止爪が係止することにより、フェンダーパネルにフェンダープロテクタを固定できる構成となっている（例えば、特許文献１参照）。
【０００３】
【特許文献１】
特開２００２−１９５２２３号公報
【特許文献２】
特開平１０−５４４１２号公報
【０００４】
【発明が解決しようとする課題】
従って、従来の固定クリップにあっては、自身のＳ字形状を利用して、フェンダーパネルにフェンダープロテクタを簡単に固定できる利点を有するものではあるが、反面、樹脂製のフェンダープロテクタの端部通孔に係止する係止爪は、そのＵ字状の嵌合部を画成する対向壁面のいずれか一方にしか形成されていないので、高速走行中に風の抵抗を受けたり、或いは、水溜りを走行中に水の抵抗を受けたりすると、フェンダープロテクタが撓んで、フェンダープロテクタを嵌め込んだ嵌合部側の開口が開いて、フェンダープロテクタがフェンダーパネルから容易に外れてしまう恐れがあった。
【０００５】
【課題を解決するための手段】
本発明は、斯かる従来の固定クリップが抱える課題を有効に解決するために開発されたもので、請求項１記載の発明は、フェンダーパネルにフェンダープロテクタを固定する断面Ｓ字状の固定クリップであって、フェンダーパネルの通孔付き端部を嵌め込むＵ字状の第１嵌合部と、フェンダープロテクタの通孔付き端部を嵌め込むＵ字状の第２嵌合部とを備え、上記第１嵌合部は、フェンダーパネルの端部通孔に係止する係止爪を対向する壁面のいずれか一方に形成し、上記第２嵌合部は、フェンダープロテクタの端部通孔に係止する係止爪を対向する両壁面に互いに近接するように形成する構成を採用した。
【０００６】
請求項２記載の発明は、請求項１を前提として、第２嵌合部の対向する両壁面に形成される係止爪は、各々、上下方向でオーバーラップしている構成を採用した。
【０００７】
請求項３記載の発明は、請求項１乃至請求項２を前提として、第２嵌合部の対向する一方の壁面に形成される係止爪は、その壁面と一体に膨出形成され、他方の壁面に形成される係止爪は、スリットを介して分離された弾性壁部に形成される構成を採用した。
【０００８】
請求項４記載の発明は、請求項３を前提として、スリットを介して分離された弾性壁部は、Ｕ字状の先端側からその奥側に向けて延びている構成を採用した。
【０００９】
請求項５記載の発明は、請求項３乃至請求項４を前提として、スリットを介して分離された弾性壁部に形成される係止爪は、フェンダープロテクタの端部通孔の中心に位置し、一方の壁面に膨出形成される係止爪は、上記中心に位置する係止爪の側方に対の関係をもって位置する構成を採用した。
【００１０】
請求項６記載の発明は、請求項３を前提として、第１嵌合部の連結部位にその係止爪を内包する開口を穿設すると共に、第２嵌合部の連結部位に上記開口と反対側に位置する他の開口を穿設する構成を採用した。
【００１１】
請求項７記載の発明は、請求項１を前提として、第１嵌合部に形成される係止爪の両側に薄肉部を形成する構成を採用した。
【００１２】
依って、請求項１記載の発明にあっては、特に、フェンダープロテクタの端部を第２嵌合部に嵌め込む場合には、フェンダープロテクタの端部通孔に第２嵌合部の対向する両壁面に互いに接近するように形成された上側の係止爪と下側の係止爪とが上下方向から同時に係止するので、例え、高速走行中に風の抵抗を受けたり、或いは、水溜りを走行中に水の抵抗を受けたりして、フェンダープロテクタが複雑に撓んだとしても、フェンダープロテクタがフェンダーパネルから容易に外れる恐れはない。
【００１３】
請求項２記載の発明にあっては、上側の係止爪と下側の係止爪とがオーバーラップしているので、フェンダープロテクタの端部通孔に対する確実な係止状態が保障できる。請求項３記載の発明にあっては、第２嵌合部の他方の壁面に形成される係止爪は、スリットを介して分離された弾性壁部に形成されているので、固定クリップからフェンダープロテクタを取り外す場合には、弾性壁部を浮かさせるだけで比較的容易に取り外すことが可能となる。請求項４記載の発明にあっては、弾性壁部を大きく撓ませられるので、固定クリップからフェンダープロテクタを取り外す作業が更に容易となる。
【００１４】
請求項５記載の発明にあっては、３個の係止爪がフェンダープロテクタの端部通孔に上下から係止することができるので、フェンダープロテクタのフェンダーパネルに対する固定状態が一層確実となる。請求項６記載の発明にあっては、第２嵌合部の対向する一方の壁面に形成される係止爪は、その壁面と一体に膨出形成されている上に、第１嵌合部と第２嵌合部の互いに反対に位置する連結部位に開口が形成されているので、金型を左右で２割りにして固定クリップを成形できるので、金型構造がシンプルとなる。請求項７記載の発明にあっては、薄肉部の存在によって、第１嵌合部側の係止爪が撓み易くなるので、フェンダーパネルに対する脱着が容易となる。
【００１５】
【発明の実施の形態】
以下、本発明を図示する好適な実施の形態に基づいて詳述すれば、該実施の形態に係る固定クリップも、自動車のフェンダーパネルにフェンダープロテクタを固定するもので、図１に示す如く、全体が断面Ｓ字状に合成樹脂で一体に成形されて、フェンダーパネルの通孔付き端部を嵌め込む横Ｕ字状の第１嵌合部１Ａと、フェンダープロテクタの通孔付き端部を嵌め込む横Ｕ字状の第２嵌合部１Ｂを備える構成となっている。
【００１６】
そして、前者の第１嵌合部１Ａは、図２にも示す如く、共通する基板２と該基板２の一端側から一定の間隔をおいて平行に折り返される下板３とから成り、下板３の内壁面に上記フェンダーパネルの端部通孔に係止する係止爪４を形成すると共に、該係止爪４の両側に薄肉部５を設け、且つ、基板２と下板３の連結部位に係止爪４を内包する開口６を穿設する構成となっている。尚、基板２と下板３の周縁は半袋状に連接されている。
【００１７】
又、後者の第２嵌合部１Ｂは、同じく、共通する基板２と該基板２の他端側から一定の間隔をおいて平行に折り返される上板７とから成り、上板７の中央部にスリット８を介して分離されて横Ｕ字状の先端側からその奥側に向けて延びる弾性壁部９を設けて、該弾性壁部９の内壁面に１個の係止爪１０を形成すると共に、基板２の対向する内壁面に一対の係止爪１１を膨出させて一体に形成して、該各係止爪１０・１１をフェンダープロテクタの端部通孔に上下方向から係止させる構成となっている。従って、各係止爪１０・１１をフェンダープロテクタの端部通孔に係止する場合には、弾性壁部９に形成された上側の係止爪１０は端部通孔の中心に位置し、基板２に形成された下側の係止爪１１は、端部通孔において上記係止爪１０の側方に対の関係をもって位置すると共に、上側の係止爪１０と下側の係止爪１１とは、互いに接近して上下方向でオーバーラップするものとする。
【００１８】
更に、第２嵌合部１Ｂに関しては、基板２と上板７の連結部位にも上記スリット８と連通する開口１２を穿設する構成となっているので、一対の係止爪１１が基板２に膨出形成されていることと相俟って、この開口１２及び該開口１２と反対側に位置することとなる上記第１嵌合部１Ａの開口６とを利用することにより、金型を左右で２割りにして固定クリップを成形できるので、金型構造がシンプルとなる。
【００１９】
依って、斯かる固定クリップを用いて、フェンダーパネル１３にフェンダープロテクタ１４を固定する場合には、まず、最初に、図３に示す如く、フェンダープロテクタ１４の通孔１６付き端部１４ａを第２嵌合部１Ｂの内側に嵌め込むと、各係止爪１０・１１のテーパー面のガイドを得て、スムーズに嵌め込まれることとなるが、この時には、上板７を押し広げながら、オーバーラップしている上側の係止爪１０と下側の係止爪１１とがフェンダープロテクタ１４の端部通孔１６に上下方向から同時に係止するので、これにより、固定クリップが抜け外れることなくフェンダープロテクタ１４側に簡単に取り付けられる。
【００２０】
そこで、今度は、図４に示す如く、フェンダーパネル１３の通孔１５付き端部１３ａを第１嵌合部１Ａの内側に逆方向から嵌め込むと、やはり、下板３の大きく湾曲した自由端部３ａのガイドで得て、嵌め込まれることとなるので、これにより、フェンダープロテクタ１４がフェンダーパネル１３に確実に固定されることとなる。尚、この場合にも、フェンダーパネル１３の端部通孔１５に係止爪４が係止しているので、固定クリップがフェンダーパネル１３から抜け外れる心配がない。
【００２１】
従って、本実施の形態にあっては、既述した如く、フェンダープロテクタ１４の端部通孔１６に対しては、図５に示す如く、上下から３個の係止爪１０・１１の夫々がオーバーラップしながら近接した状態をもって係止することとなるので、例え、高速走行中に風の抵抗を受けたり、或いは、水溜りを走行中に水の抵抗を受けたりして、フェンダープロテクタ１４が複雑に撓んだとしても、フェンダープロテクタ１４がフェンダーパネル１３から不用意に外れることが有効に防止できる訳である。尚、この場合、上側の係止爪１０と下側の係止爪１１とが接近する間隔を可能な限り小さくすれば、より一層確実な係止状態が得られることとなる。
【００２２】
又、フェンダープロテクタ１４をフェンダーパネル１３から取り外す必要が生じたような場合には、上側の係止爪１０を形成した弾性壁部９の自由端部を上方に持ち上げると、上側の係止爪１０と下側の係止爪１１とのオーバーラップ状態を解消できるので、これにより、フェンダープロテクタ１４を第２嵌合部１Ｂから容易に引き抜くことが可能となる。しかも、この場合には、弾性壁部９は、Ｕ字状の先端側からその奥側に向けて延びている関係で、弾性壁部９を大きく撓ませられるので、フェンダープロテクタ１４を取り外す作業が容易となる。
【００２３】
更に、フェンダーパネル１３から固定クリップ自体を取り外す場合には、下板３の自由端部３ａ側からドライバー等の工具先端を差し込んで、下板３を外側に開いて、固定クリップを引き抜くこととなるが、この場合には、係止爪４の両側に薄肉部５が形成されているので、係止爪４が撓み易くなって、固定クリップ自体の脱着が頗る容易となる。
【００２４】
【発明の効果】
以上の如く、本発明は、上記構成の採用により、特に、フェンダープロテクタの端部を第２嵌合部に嵌め込む場合には、フェンダープロテクタの端部通孔に第２嵌合部の対向する両壁面に互いに接近するように形成された上側の係止爪と下側の係止爪とが上下方向から同時に係止するので、例え、高速走行中に風の抵抗を受けたり、或いは、水溜りを走行中に水の抵抗を受けたりして、フェンダープロテクタが複雑に撓んだとしても、フェンダープロテクタがフェンダーパネルから容易に外れる恐れはない。
【図面の簡単な説明】
【図１】（Ａ）（Ｂ）は本発明の実施の形態に係る固定クリップを表側及び裏側から示す斜視図である。
【図２】（Ａ）は図１ＡのＡ−Ａ線断面図、（Ｂ）は図１ＡのＢ−Ｂ線断面図である。
【図３】固定クリップをフェンダープロテクタに取り付けた状態を示す要部断面図である。
【図４】固定クリップを用いてフェンダーパネルの端部にフェンダープロテクタの端部を固定した状態を示す要部断面図である。
【図５】フェンダープロテクタの端部通孔に上下３個の係止爪が係止した状態を示す説明図である。
【符号の説明】
１Ａ　　第１嵌合部
１Ｂ　　第２嵌合部
２　　　基板
３　　　下板
３ａ　　下板の自由端部
４　　　係止爪
５　　　薄肉部
６　　　開口
７　　　上板
８　　　スリット
９　　　弾性壁部
１０　　上側の係止爪
１１　　下側の係止爪
１２　　開口
１３　　フェンダーパネル
１３ａ　フェンダーパネルの端部
１４　　フェンダープロテクタ
１４ａ　フェンダープロテクタの端部
１５　　通孔
１６　　通孔
【図１】
2004142535.tif 000003
【図２】
2004142535.tif 000004
【図３】
2004142535.tif 000005
【図４】
2004142535.tif 000006
【図５】
2004142535.tif 000007